(57)【要約】【課題】  機構ユニットがダンパーを介して外部シャーシに固定されており、このダンパーを外部シャーシに簡単に取り付けることができる「ディスク装置」を提供することを目的とする。【解決手段】  外部シャーシを構成する下部ベース７に保持凹部Ｓ２が形成されており、保持凹部Ｓ２に下部直線部８１ａ、垂直直線部８１ｂ，８１ｂが形成され、上部ベース２７に、上部直線部８２ａを有する凹部が形成されている。ダンパー７０を保持凹部Ｓ２内に下向きに差し込み、このとき、ダンパー７０のベース部１７１に形成された第１の係止凸部１７１ｆと第２の係止凸部１７１ｆとで下部ベース７Ａの左側板７Ａを挟み込む。また、平坦面１７１ａ，１７１ｂを、各直線部８１ａ，８２ａに突き当てることにより、ダンパーの回り止めができる。【選択図】図５
2008130171.tif 000002
【特許請求の範囲】
【請求項１】
外部シャーシと、前記外部シャーシにダンパーを介して支持された機構ユニットとを有し、前記機構ユニットに、ディスクを回転駆動する回転駆動部が設けられたディスク装置において、
前記ダンパーは、前記外部シャーシに支持されるベース部と、前記機構ユニットに固定される支持部と、前記ベース部と前記支持部との間に設けられて内部に流体が収納された袋状の弾性変形部とを有しており、
前記ベース部と前記支持部とが前後方向で対向し、前記ベース部には、前後方方向に間隔を空けて前後方向と直交する方向へ突出する第１の係止凸部および第２の係止凸部が設けられており、
前記第１の係止凸部と前記第２の係止凸部との間に、前記外部シャーシの一部が挟まれて、前記外部シャーシに前記ダンパーが固定されていることを特徴とするディスク装置。
【請求項２】
前記ダンパーの前記第１の係止凸部と前記第２の係止凸部は、前後方向に重ならない位置に形成されている請求項１記載のディスク装置。
【請求項３】
前記外部シャーシに保持凹部が形成され、前記ダンパーの前記ベース部が前記保持凹部内に装着されており、前記第１の係止凸部と前記第２の係止凸部の間に、前記外部シャーシの前記保持凹部の縁部が挟まれる請求項１または２記載のディスク装置。
【請求項４】
前記外部シャーシに形成された保持凹部の縁部には直線部が、前記ダンパーの前記ベース部の外面には平坦部が形成され、前記直線部と前記平坦部とが当接して、前記外部シャーシに対して前記ダンパーが回転止めされている請求項３記載のディスク装置。
【請求項５】
前記ダンパーは、前記支持部と前記弾性変形部とが連結されて形成され、前記弾性変形部内に流体が封入された後に、前記ベース部が接合されて構成されたものである請求項１ないし４のいずれかに記載のディスク装置。
【発明の詳細な説明】
【技術分野】
【０００１】
本発明は、ディスクを回転駆動する回転駆動部が搭載された機構ユニットが、外部シャーシの内部でダンパーを介して弾性支持されているディスク装置に関する。
【背景技術】
【０００２】
下記の特許文献１には、車載用ＣＤプレーヤの外部シャーシ内に機構ユニットを弾性支持するダンパーが開示されている。このダンパーは、内部に流体を封入した袋体を有するダンパー部と、ダンパー部の基部に一体に設けられたホルダー部とを有している。
【０００３】
外部シャーシなどに設けられたベースには、嵌合穴を有する突片が折り曲げられており、前記ホルダー部の一部が前記嵌合穴に嵌合した状態で、ベースとホルダー部の底面とがねじで固定されている。
【特許文献１】特許第３５４５０７２号公報
【発明の開示】
【発明が解決しようとする課題】
【０００４】
前記特許文献１に記載のものは、ダンパーをベース上に１本のねじで固定でき、また１本のねじで固定した状態で回り止めもできる点で優れているが、ねじを締め付ける作業が必要であるため、組み立て作業を効率よくすることに限界がある。
【０００５】
また、外部シャーシのベースの面にホルダー部を重ねてから、ダンパーを固定しているため、ダンパーの固定部では、ダンパーの高さ寸法にベースの板厚が加算されることになり、機器の小型化を促進することに限界がある。
【０００６】
本発明は上記従来の課題を解決するものであり、ダンパーの取り付け作業を簡単にでき、且つダンパーの取り付け部を薄型化できるディスク装置を提供することを目的としている。
【課題を解決するための手段】
【０００７】
本発明は、外部シャーシと、前記外部シャーシにダンパーを介して支持された機構ユニットとを有し、前記機構ユニットに、ディスクを回転駆動する回転駆動部が設けられたディスク装置において、
前記ダンパーは、前記外部シャーシに支持されるベース部と、前記機構ユニットに固定される支持部と、前記ベース部と前記支持部との間に設けられて内部に流体が収納された袋状の弾性変形部とを有しており、
前記ベース部と前記支持部とが前後方向で対向し、前記ベース部には、前後方方向に間隔を空けて前後方向と直交する方向へ突出する第１の係止凸部および第２の係止凸部が設けられており、
前記第１の係止凸部と前記第２の係止凸部との間に、前記外部シャーシの一部が挟まれて、前記外部シャーシに前記ダンパーが固定されていることを特徴とするものである。
【０００８】
本発明のディスク装置は、ダンパーのベース部に設けられた第１の係止凸部と第２の係止凸部との間で、外部シャーシの一部を挟むという簡単な作業で、ダンパーを固定できる。また、ダンパーのベース部が外部シャーシの板厚寸法に重ねられるため、ダンパーの取り付け部を薄型化できる。
【０００９】
本発明は、前記ダンパーの前記第１の係止凸部と前記第２の係止凸部は、前後方向に重ならない位置に形成されていることが好ましい。
【００１０】
第１の係止凸部と第２の係止凸部とが重ならないように形成されていると、ダンパーのベース部を合成樹脂で一体に形成しやすくなる。
【００１１】
また、本発明は、前記外部シャーシに保持凹部が形成され、前記ダンパーの前記ベース部が前記保持凹部内に装着されており、前記第１の係止凸部と前記第２の係止凸部の間に、前記外部シャーシの前記保持凹部の縁部が挟まれるものである。
【００１２】
上記発明では、ベース部を保持凹部内に押し込むことにより、ダンパーを機構ベースに取り付けることができる。
【００１３】
また、本発明は、前記外部シャーシに形成された保持凹部の縁部には直線部が、前記ダンパーの前記ベース部の外面には平坦部が形成され、前記直線部と前記平坦部とが当接して、前記外部シャーシに対して前記ダンパーが回転止めされていることが好ましい。
【００１４】
上記のように、直線部と平坦部とを突き当てることにより、保持凹部内に装着されたダンパーの回り止めができる。
【００１５】
例えば、本発明は、前記ダンパーは、前記支持部と前記弾性変形部とが連結されて形成され、前記弾性変形部内に流体が封入された後に、前記ベース部が接合されて構成されたものである。
【発明の効果】
【００１６】
本発明のディスク装置は、外部シャーシへのダンパーの取り付け作業を簡単にできる。また、外部シャーシでのダンパーの取り付け部を薄型化でき、機器を小型に構成できるようになる。
【発明を実施するための最良の形態】
【００１７】
図１は本発明の実施の形態のディスク装置に設けられる機構ユニットを底面を紙面手前側に向けて示す底面図である。図２（Ａ）は機構ユニットの左側面図、図２（Ｂ）は機構ユニットの右側面図であり、共に上面を上に向けて示している。図３（Ａ）（Ｂ）は外部シャーシの下部ベースを、上端を上に向け且つ異なる方向から見た斜視図である。図４（Ａ）はダンパーの斜視図、図４（Ｂ）はダンパーの断面図である。図５は、外部シャーシにダンパーを取り付ける状態を示す分解斜視図、図６は外部シャーシにダンパーが取り付けられた状態を示す部分斜視図である。図７は、スライダに設けられた拘束凹部と外部シャーシに設けられた凸部との係合状態を図１と同じ向きから見た部分断面図、図８はリンク機構に設けられた突出ロック部材と係止傾斜面との当接状態を上面側から見た部分斜視図、図９は、回動ロック部材と下部ベースとの係止部を上面側から見た部分斜視図、図１０は、ドライブベースを昇降させる機構の一部を底面を上向きにして示す部分斜視図である。図１１ないし図１３は動作説明図である。
【００１８】
全ての図面において、図示Ｘ１方向が右方向、Ｘ２方向が左方向、Ｙ１方向が前方、Ｙ２方向が後方、Ｚ１方向が上方向、そしてＺ２方向が下方向である。図１は、Ｚ２方向を紙面の手前側に向けて示した底面図である。
【００１９】
ディスク装置１は、ＤＶＤ（デジタルバーサタイルディスク）などのディスクが装填可能である。ディスク装置１は、車載用機器の１ＤＩＮサイズよりも十分に薄い大きさの外部シャーシを有している。外部シャーシは、図３（Ａ）（Ｂ）に示す下部ベース７と、図５と図６に示すように、下部ベース７に重ねられる上部ベース２７とで構成されている。図１に示す機構ユニット２は、前記下部ベース７および上部ベース２７の内部に収納される。外部シャーシのＹ１側には、液晶表示パネルや各種スイッチ類を有するノーズ部が設けられ（図示せず）、前記ノーズ部に幅方向（Ｘ方向）に延びるスリット状の挿入口が設けられている。
【００２０】
図１に示すように、機構ユニット２には、搬送手段として２つの搬送ローラ６Ａ，６Ｂが設けられており、ディスクＤは、搬送ローラ６Ａ，６Ｂによって挿入口からＹ２方向に搬入され、Ｙ１方向に搬出される。
【００２１】
機構ユニット２の図１に示されている底面側には、ボトムシャーシ１２が現れており、このボトムシャーシ１２よりも中央から後方（Ｙ２方向）の領域にかけてドライブベース８が設けられている。図２（Ａ）（Ｂ）に示すように、前記ドライブベース８の上方（Ｚ１側）にはクランプベース９が対向している。このクランプベース９よりも前方にはトップシャーシ１０が設けられ、このトップシャーシ１０の両側部が前記ボトムシャーシ１２に固定されている。トップシャーシ１０とボトムシャーシ１２とで機構ユニット２のユニットシャーシが構成されており、前記挿入口から挿入されたディスクＤは、トップシャーシ１０とボトムシャーシ１２の中間の空間内に送り込まれる。
【００２２】
図１に示すように、ドライブベース８のＹ１側の先部には回転駆動部４が設けられている。図２（Ａ）（Ｂ）に示すように、回転駆動部４では、ドライブベース８の上にスピンドルモータ５が固定されており、このスピンドルモータ５の回転軸にターンテーブルが固定されている。図１に示すように、ドライブベース８には、ヘッド部１７が設けられている。ヘッド部１７は、ドライブベース８に固定された案内軸１６，１６によって、ターンテーブルに載置されたディスクＤの記録面に沿って移動自在に案内されている。また、ドライブベース８には、ヘッド部１７をディスクＤの半径方向へ移動させるスレッド駆動機構が設けられている。
【００２３】
図２（Ａ）（Ｂ）に示すように、クランプベース９のＹ１側の先部の下面には、回転駆動部４のターンテーブルに対向するクランパ１１が設けられ、このクランパ１１はクランプベース９に回転自在に支持されている。図１に示すように、前記ドライブベース８のＹ２側の基部には、Ｘ１方向とＸ２方向の両側に支持片８ｃ，８ｃが設けられ、それぞれの支持片８ｃ，８ｃに、軸９ａ，９ａが固定されている（図１では、Ｘ１側の軸９ａのみが示されている）。クランプベース９のＹ２側の基端部は、前記軸９ａ，９ａに回動自在に支持されている。
【００２４】
前記軸９ａには、トーションコイルバネで形成された押圧付勢部材（図示せず）が設けられている。この押圧付勢部材の付勢力により、クランプベース９が軸９ａ，９ａを支点として回動付勢され、クランパ１１は、常にターンテーブルに押し付けられる方向へ付勢されている。
【００２５】
一方、前記ドライブベース８のＹ２側の基端部の両側部には、図１に示す軸ピン８ａ１と軸ピン８ａ２が固定されている。前記トップシャーシ１０のＸ１側には、下方向（Ｚ２方向）に垂直に折り曲げられた支持片１０ａが形成され、前記軸ピン８ａ１が支持片１０ａに回動自在に支持されている。また、ボトムシャーシ１２にも下方向に折り曲げられた支持片１２ａが形成されており、軸ピン８ａ２が支持片１２ａに回動自在に支持されている。
【００２６】
このため、ドライブベース８は、軸ピン８ａ１，８ａ２を支点として、トップシャーシ１０およびボトムシャーシ１２から成るユニットシャーシに回動自在に支持され、さらにクランプベース９は、ドライブベース８の後方においてこのドライブベース８に回動自在に支持されている。
【００２７】
ドライブベース８は、トップシャーシ１０およびボトムシャーシ１２と平行なドライブ姿勢と、図２（Ａ）（Ｂ）に示すように、回転駆動部４を有するＹ１側がＺ２方向へ下降した傾斜姿勢であるディスク待機姿勢との間で回動する。また、クランプベース９は、クランパ１１がターンテーブルに圧接するクランプ姿勢と、クランパ１１が上向きとなるように傾斜するクランプ解除姿勢との間で回動する。
【００２８】
図１に示すように、トップシャーシ１０のＹ１側の前端には、検知ピン２６，２６が設けられている。ディスクＤの挿入を待機しているとき、検知ピン２６，２６は図１に示すように互いに接近する位置にあり、また互いに接近する方向へ付勢されている。ディスクＤが挿入口からＹ２方向へ挿入されると、ディスクＤの外周縁により検知ピン２６，２６が互いに離れる方向へ移動させられる。検知ピン２６，２６が互いに離れる方向へ移動することにより、ディスクＤが挿入されたことが検知される。またディスクＤが排出され、検知ピン２６，２６が接近する位置に復帰すると、ディスクＤが完全に抜き出されたことを検知できる。
【００２９】
図１に示すように、トップシャーシ１０の左側部には左側方スライダ３Ａが設けられ、右側部には右側方スライダ３Ｂが設けられている。図２（Ａ）に示すように、左側方スライダ３ＡにはＹ１−Ｙ２方向に延びるガイド長穴４１，４２が形成されている。トップシャーシ１０の両側部にはＺ２方向に折り曲げられた側板が設けられ、この側板に支持軸５１，５２が固定されている。前記ガイド長穴４１，４２が支持軸５１，５２を摺動することにより、左側方スライダ３ＡはＹ１−Ｙ２方向へ移動自在である。図２（Ｂ）に示すように、右側方スライダ３Ｂにも、Ｙ１−Ｙ２方向に直線的に延びるガイド長穴４３，４４が形成されている。このガイド長穴４３，４４が、トップシャーシ１０の側板に固定された支持軸５３，５４を摺動することにより、右側方スライダ３Ｂは、Ｙ１−Ｙ２方向へ移動自在である。
【００３０】
図１に示すように、機構ユニット２の左後方では、前記ボトムシャーシ１２に切換えモータＭが設けられ、ボトムシャーシ１２の下面には、切換えモータＭの動力を減速して伝達する歯車群Ｈが設けられている。ボトムシャーシ１２の左側部には軸２１が固定されており、この軸２１に駆動部材２０が回動自在に支持されている。切換えモータＭの動力が歯車群Ｈを介して駆動部材２０に伝達されて、駆動部材２０が回転駆動される。駆動部材２０には、駆動突起２０ａが設けられ、この駆動突起２０ａが前記左側方スライダ３Ａに係止されている。
【００３１】
切換えモータＭの動力により駆動部材２０が回動させられると、駆動部材２０と一体の駆動突起２０ａにより、左側方スライダ３ＡがＹ１方向およびＹ２方向へ直線的に移動させられる。よって、前記切換えモータＭと歯車群Ｈおよび駆動部材２０により駆動機構が構成されている。
【００３２】
図１に示すように、ボトムシャーシ１２の下面には、左側方スライダ３Ａと右側方スライダ３Ｂを連結するリンク機構３０が設けられている。リンク機構３０には、スライダリンク３１が設けられている。スライダリンク３１にはＸ１−Ｘ２方向に延びるガイド長穴３１ａ，３１ａが形成され、ボトムシャーシ１２から下方へ折り曲げて形成されている案内突起１２ｂ，１２ｂに前記ガイド長穴３１ａ，３１ａが挿通され、スライダリンク３１がＸ１方向およびＸ２方向へ移動できるように支持されている。前記駆動部材２０には連結ピン２０ｂが設けられ、この連結ピン２０ｂが、前記スライダリンク３１に形成された長穴内に係止されている。
【００３３】
前記スライダリンク３１のＸ２側に向けられている端部が、Ｘ２側に位置する一方の突出ロック部材３３である。図１に示すように、突出ロック部材３３の先端には、Ｙ１側に向けられた傾斜部である当接部３３ａが形成されている。
【００３４】
ボトムシャーシ１２の下面の右側部には逆転リンク３２が設けられている。逆転リンク３２は、ボトムシャーシ１２の下面に固定されている軸３２ａに回動自在に支持されている。逆転リンク３２には連結ピン３２ｂが固定され、この連結ピン３２ｂが前記スライダリンク３１に形成された長穴内に掛止されている。逆転リンク３２には駆動突起３２ｃが一体に形成されており、この駆動突起３２ｃが右側方スライダ３Ｂに係止されている。
【００３５】
図１はディスクＤが挿入されることを待つ待機モードであり、駆動部材２０が反時計方向へ回動させられており、駆動部材２０と一体に形成された駆動突起２０ａによって、左側方スライダ３ＡがＹ２方向へ移動させられている。このとき、駆動部材２０の反時計方向への回動力により、スライダリンク３１がＸ２方向へ移動させられ、さらに、前記スライダリンク３１によって、逆転リンク３２が時計方向へ回動させられている。よって、逆転リンク３２の駆動突起３２ｃにより、右側方スライダ３ＢもＹ２方向へ移動させられている。
【００３６】
図１１に示すように、切換えモータＭによって駆動部材２０が時計方向へ回動させられると、駆動部材２０と一体の駆動突起２０ａによって、左側方スライダ３ＡがＹ１方向へ移動させられる。またスライダリンク３１がＸ１方向へ移動させられて、逆転リンク３２が反時計方向へ回動させられ、逆転リンク３２に設けられた駆動突起３２ｃによって右側方スライダ３ＢがＹ１方向へ移動させられる。すなわちリンク機構３０が設けられていることにより、左側方スライダ３Ａと右側方スライダ３Ｂが、同期して同じＹ１方向および同じＹ２方向へ一緒に駆動される。
【００３７】
図１に示すように、ボトムシャーシ１２のＸ１側の下面には軸３５ｂが固定されており、この軸３５ｂにより回動ロック部材３５が回動自在に支持されている。回動ロック部材３５の一方の腕部には連結ピン３５ａが固定され、この連結ピン３５ａが、前記逆転リンク３２に形成された長穴内に挿入されている。回動ロック部材３５の他方の腕部がＸ１側の突出ロック部材３５ｃであり、その先部には当接部３５ｄが一体に設けられている。
【００３８】
図１と図１１さらには図１０と図１３に示すように、前記スライダリンク３１の中央部にはＹ２側の縁部から下側に直角に折り曲げられた制御板３１ｂが設けられており、この制御板３１ｂに、Ｙ２方向へ突出する制御ピン３１ｃが設けられている。また、ドライブベース８のＹ１側の端部には、長穴形状の姿勢切換えカム８ｂが形成されており、前記制御ピン３１ｃが姿勢切換えカム８ｂ内に挿入されている。図１０と図１３に示すように、前記姿勢切換えカム８ｂは、Ｘ１側の端部がＺ２側に向けられた持ち上げ部８ｂ１であり、Ｘ２側の端部が前記持ち上げ部８ｂ１よりもＺ１側に位置する押し下げ部８ｂ２である。
【００３９】
図１および図１０に示すディスクの挿入待機モードでは、スライダリンク３１がＸ２方向へ移動し、前記制御ピン３１ｃもＸ２方向へ移動している。このとき、制御ピン３１ｃが、姿勢切換えカム８ｂの押し下げ部８ｂ２内に位置するため、ドライブベース８は、軸ピン８ａ１，８ａ２を支点として、回転駆動部４を有する先部が押し下げられて傾斜姿勢となり、ディスク待機姿勢（退避姿勢）となっている。図１１および図１３に示すように、スライダリンク３１がＸ１方向へ移動すると、制御ピン３１ｃが姿勢切換えカム８ｂの持ち上げ部８ｂ１内に移動し、ドライブベース８は、回転駆動部４を有する先部が持ち上げられて、ドライブベース８がボトムシャーシ１２と同じ水平な向きとなってドライブ姿勢となる。
【００４０】
図２（Ｂ）に示すように、右側方スライダ３ＢのＹ２側に寄った部分には、クランプ持ち上げカム４５が一体に形成されている。クランプ持ち上げカム４５は、Ｙ１側の部分が持ち上げ部４５ａであり、Ｙ２側に逃げ空間４５ｂが形成されている。図１および図２（Ｂ）の動作状態では、右側方スライダ３ＢがＹ２方向へ移動しており、前記クランプ持ち上げカム４５の持ち上げ部４５ａによって、クランプベース９と一体の制御片９ａが持ち上げられて、クランパ１１がターンテーブルから上方へ離れたクランプ解除姿勢となっている。
【００４１】
すなわち、図１に示す動作状態では、スライダリンク３１がＸ２方向へ移動しているために、図１０に示すように、ドライブベース８が斜めに下降してディスク待機姿勢になるとともに、クランパ１１が持ち上げられて、回転駆動部４のターンテーブルとクランパ１１との間隔が広げられる。
【００４２】
図１１に示すように、右側方スライダ３ＢがＹ２方向へ移動すると、図２（Ｂ）に示されているクランプベース９と一体の制御片９ａが逃げ空間４５ｂ内に位置するため、クランプベース９は、押圧付勢部材によりＺ２方向へ付勢される。このとき、図１３に示すように、ドライブベース８が持ち上げられてドライブ姿勢となるため、回転駆動部４に設けられたターンテーブルとクランパ１１とで、ディスクＤの中心穴を保持できるようになる。
【００４３】
図２（Ａ）に示すように、左側方スライダ３ＡのＹ１側に寄った部分には、一対のローラ制御カム４６が貫通して形成されている。ローラ制御カム４６は、Ｙ２側に押し下げ部４６ａが形成され、Ｙ１側が逃げ空間４６ｂとなっている。前記搬送ローラ６Ａのローラ軸６Ａ１と、搬送ローラ６Ｂのローラ軸６Ｂ１は、それぞれ、前記ローラ制御カム４６内に挿入されている。また、右側方スライダ３Ｂにも前記ローラ制御カム４６が、左側方スライダ３Ａと対称に形成されている。
【００４４】
図１および図２（Ａ）に示すように、左側方スライダ３Ａと右側方スライダ３ＢがＹ２方向へ移動していると、ローラ軸６Ａ１とローラ軸６Ｂ１は、それぞれローラ制御カム４６の逃げ空間４６ｂ内に位置しており、搬送ローラ６Ａと搬送ローラ６Ｂは、スプリングなどの付勢力によりディスクに圧接される。図１１に示すように、左側方スライダ３Ａと右側方スライダ３ＢがＹ１方向へ移動すると、ローラ制御カム４６の押し下げ部４６ａにより、ローラ軸６Ａ１とローラ軸６Ｂ１が押し下げられ、搬送ローラ６Ａと６Ｂが、ディスクＤから離される。
【００４５】
図２（Ａ）および図１２に示すように、左側方スライダ３Ａには、Ｙ２方向に向けて開口する拘束凹部７１と、同じくＹ２方向に向けて開口する拘束凹部７２が形成されている。図２（Ｂ）に示すように、右側方スライダ３Ｂにも、Ｙ２方向に向けて開口する拘束凹部７３と、同じくＹ２方向へ向けて開口する拘束凹部７４が形成されている。図２（Ａ）に示すように、左側方スライダ３Ａには、拘束凹部７１のＹ１側の端部からＸ２側に隆起する周囲隆起部７１ａが形成されている。図７は、拘束凹部７１および周囲隆起部７１ａを断面で示している。同様に、図２（Ｂ）に示す右側方スライダ３Ｂにも、拘束凹部７３のＹ１側の端部からＸ１側に隆起する周囲隆起部７３ａが形成されている。また拘束凹部７４のＹ１側の端部からＸ１側へ隆起する周囲隆起部７４ａが一体に形成されている。
【００４６】
図３（Ａ）（Ｂ）に示すように、外部シャーシを構成する下部ベース７は、金属板で形成されており、４辺に側板が形成された枠体である。下部ベース７の左側板７Ａには保持凹部Ｓ２とＳ４が形成され、右側板７Ｂには保持凹部Ｓ１とＳ３が形成されている。それぞれの保持凹部Ｓ１Ｓ４にダンパー７０が保持されている。図１に示すように、機構ユニット２は、トップシャーシ１０の４隅Ｄ１，Ｄ２，Ｄ３，Ｄ４に支持突起が設けられ、それぞれの支持突起がダンパー７０に支持されている。すなわち、トップシャーシ１０の隅部Ｄ２が、左側板７Ａの保持凹部Ｓ２に保持されたダンパー７０に支持され、隅部Ｄ４が、左側板７Ａの保持凹部Ｓ４に保持されたダンパー７０に支持されている。また、隅部Ｄ１と隅部Ｄ３が、右側板７Ｂの保持凹部Ｓ１とＳ３に保持されたダンパー７０，７０に支持されている。
【００４７】
図５と図６には、下部ベース７の左側板７Ａに形成された保持凹部Ｓ２が示されている。なお、他の保持凹部Ｓ１，Ｓ３，Ｓ４の形状および各保持凹部Ｓ１，Ｓ３，Ｓ４へのダンパー７０の取付け構造は、保持凹部Ｓ２と同じである。
【００４８】
保持凹部Ｓ２は、左側板７ＡのＹ１側の端部で左側板７Ａを貫通して形成されている。図５に示すように、保持凹部Ｓ２の縁部の形状は、下側（Ｚ２側）にＹ１−Ｙ２方向に平行な下部直線部８１ａが形成され、Ｙ１側とＹ２側には、Ｚ１−Ｚ２方向へ垂直に延びる垂直直線部８１ｂ，８１ｂが形成されている。下部直線部８１ａとそれぞれの垂直直線部８１ｂとの間には、凹状の円弧部８１ｃ，８１ｃが形成されている。
【００４９】
外部シャーシを構成する上部ベース２７には左側板２７Ａが折り曲げられており、図６に示すように、下部ベース７と上部ベース２７とが組み合わされたときに、下部ベース７の左側板７Ａと上部ベース２７の左側板２７Ａとがほぼ同一面に位置する。図５に示すように、上部ベース２７の左側板２７Ａには、下向きに開口する凹部が形成されている。この凹部の縁部には、前記下部直線部８１ａに対向し且つ前記下部直線部８１ａと平行な上部直線部８２ａと、この上部直線部８２ａのＹ１側およびＹ２側に連続する凹状の円弧部８２ｂ，８２ｂが形成されている。
【００５０】
図４（Ａ）（Ｂ）に示すように、ダンパー７０は、外部シャーシに取り付けられるベース部１７１と、前記機構ユニット２の４隅Ｄ１ないしＤ４のそれぞれが支持される支持部１７２と、前記ベース部１７１と前記支持部１７２の間に位置する弾性変形部１７３を有している。また、弾性変形部１７３の基部は接合リング１７４に固定され、この接合リング１７４と前記ベース部１７１とが接合固定されている。
【００５１】
ベース部１７１と支持部１７２および接合リング１７４は、それぞれポリカーボネート、ポリエチレン、ポリプロピレンなどの硬質樹脂で形成されており、少しだけ弾性変形できる実質的に剛体である。弾性変形部１７３は、ブチルゴムなどのエラストマーで形成された可撓性の袋体１７３ａを有している。そして、この袋体１７３ａの内部に、シリコンオイルなどの流体１７５が封入されている。
【００５２】
支持部１７２と接合リング１７４および袋体１７３ａは、二色成型されたものである。すなわち、硬質の合成樹脂で支持部１７２と接合リング１７４を形成した後に、支持部１７２と接合リング１７４を成形用の型内に保持させ、前記型内に溶融状態のエラストマー樹脂を射出することにより、支持部１７２と接合リング１７４および袋体１７３ａが一体に形成される。その後に、袋体１７３ａ内に流体１７５を充填し、接合リング１７４の開口部をベース部１７１で閉じ、接合リング１７４とベース部１７１とを超音波接合やレーザー溶着などの接着手段で接合する。
【００５３】
ダンパー７０は、ベース部１７１と支持部１７２が対向するＸ１−Ｘ２方向が前後方向である。図４（Ａ）および図５に示すように、ベース部１７１の外周面は、下部平坦面１７１ａと上部平坦面１７１ｂが形成されており、下部平坦面１７１ａと上部平坦面１７１ｂは、互いに平行である。また、ベース部１７１の外周面は、前記下部平坦面１７１ａおよび上部平坦面１７１ｂに対して垂直に形成された垂直平坦面１７１ｃ，１７１ｃを有している。下部平坦面１７１ａと、それぞれの垂直平坦面１７１ｃ，１７１ｃとの間には、凸形状の下部円弧面１７１ｄ，１７１ｄが形成されている。上部平坦面１７１ｂと、それぞれの垂直平坦面１７１ｃ，１７１ｃとの間には、凸形状の上部円弧面１７１ｅ，１７１ｅが形成されている。
【００５４】
ベース部１７１では、前記下部円弧面１７１ｄ，１７１ｄと、上部円弧面１７１ｅ，１７１ｅの前方に、部分フランジである第１の係止凸部１７１ｆが４箇所に一体に形成されている。また、それぞれの垂直平坦面１７１ｃ，１７１ｃの後方には、部分フランジである第２の係止凸部１７１ｇが２箇所において一体に形成されている。第１の係止凸部１７１ｆと第２の係止凸部１７１ｇは、前後方向（Ｘ１−Ｘ２方向）に間隔を空けて配置されているが、第１の係止凸部１７１ｆと第２の係止凸部１７１ｇの前後方向（Ｘ１−Ｘ２方向）での対向間隔は、保持凹部Ｓ２が形成されている左側板７Ａおよび左側板２７Ａを形成している金属板の板厚寸法と同じか、または板厚寸法よりもわずかに狭く設定されている。
【００５５】
また、第１の係止凸部１７１ｆと第２の係止凸部１７１ｇは、Ｘ１−Ｘ２方向に向けて互いに重ならない位置に形成されている。第１の係止凸部１７１ｆと第２の係止凸部１７１ｇの位置が互いにずれているため、第１の係止凸部１７１ｆと第２の係止凸部１７１ｇとを、ベース部１７１と一体に射出成形工程で形成することが可能である。
【００５６】
前記支持部１７２は軸形状であり、そのＸ１側に向く前端には、スリット１７２ａが形成されている。
【００５７】
このディスク装置１を組み立てる際は、機構ユニット２の４隅Ｄ１ないしＤ４において、トップシャーシ１０またはボトムシャーシ１２に形成されている突出片を、それぞれのダンパー７０の前記支持部１７２に形成されたスリット１７２ａに嵌着する。このとき、突出片をスリット１７２ａに圧入して互いに固定し、あるいは突出片と支持部１７２とを接着固定する。機構ユニット２に４個のダンパー７０の支持部１７２をそれぞれ固定した後に、図５に示すように、下部ベース７に形成された保持凹部Ｓ１ないしＳ４のそれぞれにダンパー７０のベース部１７１を固定する。
【００５８】
このとき、ベース部１７１の下部平坦面１７１ａを下向きにし、第１の係止凸部１７１ｆを、下部ベース７の左側板７Ａおよび右側板７Ｂの内面に当接させ、第２の係止凸部１７１ｇを、左側板７Ａおよび右側板７Ｂの外面に当接させる。すなわち、保持凹部Ｓ１ないしＳ４の縁部を、第１の係止凸部１７１ｆと第２の係止凸部１７１ｇとの間に挟み込むようにして、ベース部１７１を保持凹部Ｓ１ないしＳ４内に下向きに差し込む。さらに、上部ベース２７を下部ベース７の上に組み込むときに、上部ベース２７の左側板２７Ａまたは右側板に形成された凹部を、ダンパー７０のベース部１７１の上部に嵌合させる。このとき、ベース部１７１の上部平坦面１７１ｂを上部ベース２７の上部直線部８２ａに当接させる。
【００５９】
ダンパー７０は保持凹部Ｓ１ないしＳ４内に差し込まれることで固定される。また、ベース部１７１の下部平坦面１７１ａが、保持凹部の下部直線部８１ａに当接し、ベース部１７１の垂直平坦面１７１ｃ，１７１ｃが、保持凹部の垂直直線部８１ｂ，８１ｂに当たり、さらにベース部１７１の上部平坦面１７１ｂが、上部ベース２７の上部直線部８２ａに当たることにより、ダンパー７０は、外部シャーシに回転することなく取り付けられる。
【００６０】
また、機構ユニット２の４隅Ｄ１ないしＤ４に設けられたダンパー７０のベース部１７１を、それぞれの保持凹部Ｓ１ないしＳ４に差し込むことにより、機構ユニット２を外部シャーシ内に簡単に組み込むことができる。
【００６１】
機構ユニット２の４隅Ｄ１ないしＤ４が、下部ベース７の内部において４つのダンパー７０を介して弾性支持されている状態で、機構ユニット２に設けられた左側方スライダ３Ａが左側板７Ａの内側に対向し、右側方スライダ３Ｂが右側板７Ｂの内側に対向する。
【００６２】
図３（Ａ）に示すように、左側板７Ａには凸部６１ａが形成されている。図７に示すように、凸部６１ａは、左側板７Ａを形成する金属板で一体に形成されている。凸部６１ａの基部は太くなっており、凸部６１ａと基部との境界部に段部６１ｂが形成されている。また、左側板７Ａには、Ｙ２側に凸部６２ａが形成されている。図３（Ｂ）に示すように、右側板７Ｂにも凸部６４ａと凸部６５ａが一体に形成されている。凸部６４ａの基部に段部６４ｂが形成されており、凸部６５ａの基部にも段部６５ｂが形成されている。
【００６３】
図２（Ａ）に示すように、左側板７Ａの凸部６１ａは、左側方スライダ３Ａに設けられた拘束凹部７１で保持可能であり、凸部６２ａは、拘束凹部７２で保持可能である。図２（Ｂ）に示すように、右側板７Ｂの凸部６４ａは、右側方スライダ３Ｂの拘束凹部７３で保持可能であり、凸部６５ａは保持凹部７４で保持可能である。
【００６４】
図３（Ａ）に示すように、左側板７Ａでは、凸部６１ａと凸部６２ａの中間に、Ｘ１方向へ突出する係止凸部６３が折り曲げ形成されている。この係止凸部６３のＹ２側の側部には、Ｙ２方向に向かうにしたがってＸ２方向に後退する係止傾斜面６３ａが形成されている。図８に示すように、機構ユニット２のＸ２側の側部においてスライダリンク３１と一体に形成された突出ロック部材３３が、前記係止傾斜面６３ａに当接可能である。図３（Ｂ）に示すように、右側板７Ｂでは、凸部６４ａと凸部６５ａの中間に、Ｘ２方向へ突出する係止凸部６６が形成されている。係止凸部６６にはＹ１方向に向く係止面６６ａが設けられている。図７に示すように、機構ユニット２のＸ１側に設けられた回動ロック部材３５の突出ロック部材３５ｃは、前記係止面６６ａに当接可能である。
【００６５】
次に、ディスク装置１の動作について説明する。
（ディスクの挿入待機モード）
ディスクがディスク装置１に装填されるのを待つ挿入待機モードでは、図１に示すように、切換えモータＭの動力が歯車群Ｈから駆動部材２０に伝達され、駆動部材２０が反時計方向へ回動している。この駆動部材２０の駆動突起２０ａにより、左側方スライダ３ＡがＸ２方向へ移動させられ、且つ駆動部材２０と連結ピン２０ｂを介して連結されているスライダリンク３１がＸ２方向へ移動させられている。そして、図１のＸ１側に設けられた逆転リンク３２が時計方向へ回動させられて、この逆転リンク３２の駆動突起３２ｃによって右側方スライダ３ＢがＹ２方向へ移動させられている。
【００６６】
このとき、図２（Ａ）に示すように、搬送ローラ６Ａ，６Ｂのそれぞれのローラ軸６Ａ１，６Ｂ１は、左側方スライダ３Ａに形成されたローラ制御カム４６，４６の逃げ空間４６ｂ，４６ｂ内に位置し、搬送ローラ６Ａ，６Ｂは、スプリングなどの付勢力により、トップシャーシ１０の下側に固定された滑り部材５２の下面に弾圧させられている。
【００６７】
また、図１０に示すように、スライダリンク３１がＸ２方向に移動していると、スライダリンク３１に形成された制御板３１ｂに固定されている制御ピン３１ｃが、ドライブベース８に設けられた姿勢切換えカム８ｂの押し下げ部８ｂ２内に位置し、ドライブベース８は、軸ピン８ａ１，８ａ２を支点として、回転駆動部４を有する先部が下降したディスク待機姿勢（退避姿勢）となっている。
【００６８】
また、図２（Ｂ）に示すように、右側方スライダ３Ｂに形成されたクランプ持ち上げカム４５の持ち上げ部４５ａによって、クランプベース９と一体の制御片９ｂが持ち上げられている。よって、ドライブベース８の回転駆動部４に設けられたターンテーブルと、クランプベース９に設けられたクランパ１１との間に、大きな空間が形成されている。
【００６９】
ディスク挿入待機モードでは、外部シャーシにダンパー７０を介して弾性支持されている機構ユニット２が、外部シャーシ内で動けないように拘束される。機構ユニット２を拘束することにより、外部からディスクＤが挿入されるときに、機構ユニット２が不用意に動くのを規制でき、ディスクＤを回転駆動部に確実に導くことができるようになる。
【００７０】
ディスク挿入待機モードでは、図２（Ａ）に示すように、左側方スライダ３ＡがＹ２方向へ移動しているため、左側方スライダ３Ａに設けられた拘束凹部７１内に、図３（Ａ）に示す下部ベース７に設けられた凸部６１ａが保持される。このとき、図７に示すように、凸部６１ａは、拘束凹部７１のＹ１側の端部に押し付けられる。これは、左側方スライダ３Ａに設けられた拘束凹部７２と凸部６２ａとの関係においても同じである。さらに、図２（Ｂ）に示すように、右側方スライダ３ＢがＹ２方向へ移動しているため、右側方スライダ３Ｂに設けられた拘束凹部７３内に図３（Ｂ）に示す凸部６４ａが保持され、拘束凹部７４内に凸部６５ａが保持される。このとき、凸部６４ａが、拘束凹部７３のＹ１側の端部に押し付けられ、凸部６５ａが、拘束凹部７４のＹ１側の端部に押し付けられている。
【００７１】
各拘束凹部７１，７２，７３，７４が、下部ベース７に設けられた凸部６１ａ，６２ａ，６４ａ，６５ａを保持することにより、下部ベース７内において、機構ユニット２はそれ以上はＹ２方向へ動かないように拘束される。さらに、各拘束凹部７１，７２，７３，７４の上下の内幅寸法と、凸部６１ａ，６２ａ，６４ａ，６５ａの直径寸法をほぼ一致させておくことにより、下部ベース７内において、機構ユニット２は上下方向（Ｚ１−Ｚ２方向）へ動かないように拘束される。
【００７２】
さらに、図７に示すように、左側方スライダ３ＡがＹ２方向へ移動していると、拘束凹部７１の周囲から突出している周囲隆起部７１ａが、凸部６１ａの基部の段部６１ｂに当接する。なお、左側方スライダ３ＡがＹ１方向へ移動すると、前記周囲隆起部７１ａが、段部６１ｂから離れる。同様に、図２（Ｂ）に示す右側方スライダ３ＢがＹ２方向へ移動していると、拘束凹部７３の周囲から突出する周囲隆起部７３ａが、凸部６４ａの基部の段部６４ｂに当接し、拘束凹部７４の周囲から突出する周囲隆起部７４ａが、凸部６５ａの段部６５ｂに当接する。
【００７３】
このように、各周囲隆起部７１ａ，７３ａ，７４ａが段部６１ｂ，６４ｂ，６５ｂに当接することにより、下部ベース７内において、機構ユニット２が左右方向（Ｘ１−Ｘ２方向）へ動かないように規制される。
【００７４】
また、図１に示すディスク挿入待機モードでは、機構ユニット２に設けられたスライダリンク３１がＸ２方向へ移動しており、図８に示すように、スライダリンク３１と一体の突出ロック部材３３の傾斜部である当接部３３ａが、左側板７Ａに形成された係止傾斜面６３ａに当接している。さらに、このとき図７に示すように、回動ロック部材３５が反時計方向へ回動し、回動ロック部材３５の一部である突出ロック部材３５ｃの当接部３５ｄが、右側板７Ｂに形成された係止凸部６６ａに当接している。
【００７５】
突出ロック部材３３と係止傾斜面６３ａとの当接、および突出ロック部材３５ｃと係止凸部６６ａとの当接により、機構ユニット２は、下部ベース７内においてＹ１方向へ動かないように規制される。
【００７６】
以上のように、左側方スライダ３Ａ、右側方スライダ３Ｂ、リンク機構３０、を共通の切換えモータＭで動作させることにより、外部シャーシ内で、機構ユニット２がＸ，Ｙ，Ｚの各方向へ動かないように拘束される。
【００７７】
なお、前記実施の形態では、図１のＸ２側に設けられた突出ロック部材３３がＸ２方向へ直線軌跡で突出し、Ｘ１側に設けられた突出ロック部材３５ｃが回動動作するものであるが、左右両側の突出ロック部材が共にＸ方向へ直線軌跡で移動するものであってもよいし、あるいは、左右両側の突出ロック部材が共に回動するものであってもよい。
【００７８】
（ディスク装填動作）
ディスクＤが挿入口から挿入されると、図１に示す検知ピン２６，２６がディスクＤの外周縁によって押し開かれ、図示しないスイッチが動作させられる。これによりディスクＤの挿入が検知され、モータが始動して、搬送ローラ６Ａと搬送ローラ６Ｂが、ディスク搬入方向へ回転し始める。挿入されたディスクＤは、搬送ローラ６Ａ，６Ｂと滑り部材との間に挟まれて装置奥方向（Ｙ２方向）へ搬入される。
【００７９】
搬入されるディスクＤは、回転駆動部４に設けられたターンテーブルとクランパ１１との間に送り込まれる。ディスクＤの中心穴がターンテーブルの中心に一致したことが図示しない検知手段で検知されると、切換えモータＭによって、図１に示す駆動部材２０が時計方向へ回動させられる。
【００８０】
これにより、左側方スライダ３ＡがＹ１方向へ移動させられるとともに、スライダリンク３１がＸ１方向へ移動させられる。スライダリンク３１の移動力は、逆転リンク３２を介して右側方スライダ３Ｂに与えられ、右側方スライダ３ＢもＹ１方向へ移動させられる。
【００８１】
スライダリンク３１がＸ１方向へ移動させられると、図１３に示すように、スライダリンク３１の制御板３１ｂに設けられた制御ピン３１ｃが、ドライブベース８のＹ１側の端部に設けられた姿勢切換えカム８ｂの持ち上げ部８ｂ１内に移動し、ドライブベース８が持ち上げられてほぼ水平姿勢のドライブ姿勢となる。また、図２（Ｂ）に示す右側方スライダ３ＢがＹ１方向へ移動すると、クランプ持ち上げカム４５の逃げ空間４５ｂが、クランプベース９と一体の制御片９ｂの位置に移動する。よってクランプベース９は、押圧付勢部材の付勢力で下降させられ、ディスクＤの中心穴が、回転駆動部４に設けられたターンテーブルとクランパ１１とで挟持される。
【００８２】
また、左側方スライダ３Ａと右側方スライダ３ＢがＹ１方向へ移動すると、ローラ制御カム４６の押し下げ部４６ａによって、ローラ軸６Ａ１とローラ軸６Ｂ１が押し下げられ、搬送ローラ６Ａ，６Ｂがディスクの下面から離れる。
【００８３】
また、図１２に示すように、左側方スライダ３ＡがＹ１方向へ移動すると、拘束凹部７１，７２が、左側板７Ａに形成された凸部６１ａ，６２ａから離れる。同様に、右側方スライダ３ＢがＹ１方向へ移動すると、拘束凹部７３，７４が、凸部６４ａ，６５ａから離れる。さらに、スライダリンク３１がＸ１方向へ移動するために、突出ロック部材３３が、図８に示す左側板７Ａの係止傾斜面６３ａから離れ、さらに図１に示す回動ロック部材３５が時計方向へ回動し、回動ロック部材３５に設けられた突出ロック部材３５ｃの当接部３５ｄが、図７に示す右側板７Ｂの係止凸部６６ａから離れる。
【００８４】
よって、機構ユニット２は、外部シャーシ内において、ダンパー７０で弾性支持される。この状態で、回転駆動部４に設けられたスピンドルモータ５でターンテーブルおよびディスクＤが回転させられ、ヘッド部１７によって、ディスクＤに対する記録または再生動作が行われる。機構ユニット２が弾性支持されているため、外部シャーシに作用する外部からの振動が機構ユニット２に直接に作用するのを抑制できるようになる。
【００８５】
以上、前記実施の形態では、ダンパーを外部シャーシに簡単に取り付けることができ、その結果、機構ユニット２を外部シャーシに簡単に取り付けることができる。しかもダンパーの取付け部を薄型化できる。
【図面の簡単な説明】
【００８６】
【図１】本発明の実施の形態のディスク装置に設けられる機構ユニットを、底面を紙面の手前側に向けて示す底面図であり、ディスク挿入待機モードを示す。
【図２】（Ａ）は機構ユニットの左側面図、（Ｂ）は機構ユニットの右側面図であり、共に上端を上向きに示している。
【図３】（Ａ）（Ｂ）は、外部シャーシを構成する下部ベースを、異なる向きから示す斜視図。
【図４】（Ａ）はダンパーの斜視図、（Ｂ）はダンパーの断面図。
【図５】下部ベースへのダンパーの取付け構造を示す分解斜視図。
【図６】外部シャーシにダンパーが取り付けられた状態を示す斜視図。
【図７】拘束凹部と凸部との保持動作を示す部分断面図。
【図８】機構ユニットのＸ２側に設けられた突出ロック部材と、係止傾斜面との当接状態を示すものであり、底部を上向きにして示す部分斜視図。
【図９】機構ユニットのＸ１側に設けられた回動式の突出ロック部材と、右側板との当接状態を示すものであり、底部を上向きにして示す部分斜視図。
【図１０】ドライブベースが下降している状態を、底部を上向きにして示す部分斜視図。
【図１１】図１と同様の底面図であり、ディスク駆動モードを示す。
【図１２】図２（Ａ）と同様の左側面図であり、ディスク駆動モードを示す。
【図１３】図１０と同様の部分斜視図であり、ドライブベースが上昇している状態を示す。
【符号の説明】
【００８７】
１  ディスク装置
２  機構ユニット
７  外部シャーシ
７Ａ  下部シャーシ
７Ｂ  上部シャーシ
４０  弾性支持部材
４１  支持部
４２  弾性部
４３  蓋部
４３ａ  フランジ部
４３ａ１  切り欠き部
４３ｂ  支持凸片
４３ｃ  平坦部
４４  溝部
７０  ダンパー
７１，７２  支持溝
７１ｃ，７２ｂ  水平固定部
Ｓ１ないしＳ４  保持凹部
８１ａ  下部直線部
８１ｂ  垂直直線部
８１ｃ  円弧部
８２ａ  上部直線部
８２ｂ  円弧部
１７１  ベース部
１７１ａ  下部平坦面
１７１ｂ  下部平坦面
１７１ｃ  垂直平坦面
１７１ｆ  第１の係止凸部
１７１ｇ  第２の係止凸部
１７２  支持部
１７３  弾性変形部
１７３ａ  袋体
【図１】
2008130171.tif 000003
【図２】
2008130171.tif 000004
【図３】
2008130171.tif 000005
【図４】
2008130171.tif 000006
【図５】
2008130171.tif 000007
【図６】
2008130171.tif 000008
【図７】
2008130171.tif 000009
【図８】
2008130171.tif 000010
【図９】
2008130171.tif 000011
【図１０】
2008130171.tif 000012
【図１１】
2008130171.tif 000013
【図１２】
2008130171.tif 000014
【図１３】
2008130171.tif 000015